(57)【要約】【課題】トイレの利用状況に応じて、トイレの配置場所毎に広告料金を決定する広告料金決定システム、およびプログラムを提供する。【解決手段】利用者がトイレ２０の個室２０１を使用すると、センサ２１１が検知する。検知データは個室情報送受信部２２２を介して中継サーバ２２１に送信される。中継サーバ２２１は検知データより個室２０１の利用者数、利用時間を算出する。算出した利用者数、利用時間データは、インターネットＮを介してデータセンタ１内の管理サーバ１１に送信される。管理サーバ１１内の制御部１１０は、このデータから利用時間率ポイント、利用者数ポイント、同一人物利用時間ポイントを求めて重み付けを行う。そしてトイレの設置環境を加味した係数を掛けてランク値を求める。制御部１１０は、ランク値を広告料金ランク表に照合し、個室２０１における広告料金を決定する。【選択図】      図１
2004152180.tif 000002
【特許請求の範囲】
【請求項１】
各トイレの近傍に設置されたモニタに広告を表示する際の広告料金を決定する広告料金決定システムにおいて、
前記各トイレの利用開始と終了を検知する検知手段と、
前記検知手段に基づいて、前記各トイレの利用者数と利用時間を算出する算出手段と、
前記利用者数と利用時間とによって、前記各トイレの利用状況を数値化する利用状況数値化手段と、
前記各トイレの設置環境を、該設置環境をランク付けしたテーブルに基づき数値化する設置環境数値化手段と、
前記数値化した利用状況および設置環境とに基づき、前記各トイレの広告価値を数値化する広告価値数値化手段と、
前記数値化した広告価値に基づいて、広告料金を決定する広告料金決定手段と
を有する広告料金決定システム。
【請求項２】
前記利用状況数値化手段は、前記各トイレの利用時間の割合に応じた数値と、利用者数に応じた数値を加算し、前記加算結果に一定時間を超過してトイレを利用した利用者数に応じた数値を減算して数値化する
ことを特徴とする請求項１記載の広告料金決定システム。
【請求項３】
前記利用状況数値化手段は、前記各トイレの利用時間の割合に応じた数値と、利用者数に応じた数値を加算し、前記加算結果に一定時間を超過してトイレを利用した利用者数の逆数に応じた数値を加算して数値化する
ことを特徴とする請求項１記載の広告料金決定システム。
【請求項４】
前記テーブルは、トイレの男女別、トイレの設置している建物の地域エリア、ビル種別、フロア階数、曜日の各項目をランク付けしてなる
ことを特徴とする請求項１記載の広告料金決定システム。
【請求項５】
ネットワークに接続され、前記広告を格納するデータベースサーバをさらに備え、
前記モニタ、または前記各トイレの周辺には前記データベースサーバのアクセス先が表示され、
前記データベースサーバは、前記アクセス先と、所定のトイレの設置情報を入力してアクセスした所定の端末へ、該当する前記広告を配信する
ことを特徴とする請求項１記載の広告料金決定システム。
【請求項６】
各トイレの近傍に設置されたモニタに広告を表示する際の広告料金を決定する広告料金決定プログラムにおいて、
前記各トイレの利用開始と終了を検知する検知ステップと、
前記検知手段に基づいて、前記各トイレの利用者数と利用時間を算出する算出ステップと、
前記利用者数と利用時間とによって、前記各トイレの利用状況を数値化する利用状況数値化ステップと、
前記各トイレの設置環境を、該設置環境をランク付けしたテーブルに基づき数値化する設置環境数値化ステップと、
前記数値化した利用状況および設置環境とに基づき、前記各トイレの広告価値を数値化する広告価値数値化ステップと、
前記数値化した広告価値に基づいて、広告料金を決定する広告料金決定ステップと
をコンピュータに実行させる広告料金決定プログラム。
【発明の詳細な説明】
【０００１】
【発明の属する技術分野】
本発明は、トイレに設置されたモニタに広告を表示する際の広告料金を決定する、広告料金決定システムに関する。
【０００２】
【従来の技術】
公共施設やオフィスビル、店舗などのトイレは、近年清潔かつ機能的になっており、それに伴いトイレの持つ役割も変化している。トイレはただ用を足すだけでなく、休息の場としての役割も求められている。その中で、トイレという空間をいかに有効活用するか、さまざまな方法が考えられている。そのひとつに、トイレ内にモニタを設置し、広告を提示する方法が考えられている。
従来の技術では、公衆トイレなど不特定多数の人が利用する公共スペースにおいて、センサが利用者を感知した場合に、利用者に最適な広告情報を提示するものもある（例えば、特許文献１参照）。
【０００３】
【特許文献１】
特開２００２−１５７５０５号公報
【０００４】
【発明が解決しようとする課題】
ところで、トイレ内で広告を提供する場合、トイレの男女別、利用者数、トイレの配置場所、広告を表示する時間などを考慮すれば、サーバにとって効率よく、また利用者にとってより最適な内容の広告を提供することができる。また、利用頻度の高いトイレの場所や時間帯を考慮してトイレに広告を表示すれば、広告の宣伝効果が増す。よって、利用頻度の高いトイレの設置場所には高い広告料金にするなど、トイレの利用状況に合わせて広告料金を設定すれば、サービス提供者の利益になる。しかし、このような広告料金の設定方法は確立されていない。
この発明はこのような点を鑑みてなされたもので、トイレの利用状況に応じて、トイレの設置場所毎に広告料金を決定する広告料金決定システム、およびプログラムを提供することを目的としている。
【０００５】
【課題を解決するための手段】
上記した目的を達成するために、請求項１記載の広告料金決定システムは、各トイレの近傍に設置されたモニタに広告を表示する際の広告料金を決定する広告料金決定システムにおいて、前記各トイレの利用開始と終了を検知する検知手段と、前記検知手段に基づいて、前記各トイレの利用者数と利用時間を算出する算出手段と、前記利用者数と利用時間とによって、前記各トイレの利用状況を数値化する利用状況数値化手段と、前記各トイレの設置環境を、該設置環境をランク付けしたテーブルに基づき数値化する設置環境数値化手段と、前記数値化した利用状況および設置環境とに基づき、前記各トイレの広告価値を数値化する広告価値数値化手段と、前記数値化した広告価値に基づいて、広告料金を決定する広告料金決定手段とを有する。
【０００６】
請求項２記載の発明は、請求項１記載の広告料金決定システムにおいて、前記利用状況数値化手段は、前記各トイレの利用時間の割合に応じた数値と、利用者数に応じた数値を加算し、前記加算結果に一定時間を超過してトイレを利用した利用者数に応じた数値を減算して数値化することを特徴とする。
【０００７】
請求項３記載の発明は、請求項１記載の広告料金決定システムにおいて、前記利用状況数値化手段は、前記各トイレの利用時間の割合に応じた数値と、利用者数に応じた数値を加算し、前記加算結果に一定時間を超過してトイレを利用した利用者数の逆数に応じた数値を加算して数値化することを特徴とする。
【０００８】
請求項４記載の発明は、請求項１記載の広告料金決定システムにおいて、前記テーブルは、トイレの男女別、トイレの設置している建物の地域エリア、ビル種別、フロア階数、曜日の各項目をランク付けしてなることを特徴とする。
【０００９】
請求項５記載の発明は、請求項１記載の広告料金決定システムにおいて、ネットワークに接続され、前記広告を格納するデータベースサーバをさらに備え、前記モニタ、または前記各トイレの周辺には前記データベースサーバのアクセス先が表示され、前記データベースサーバは、前記アクセス先と、所定のトイレの設置情報を入力してアクセスした所定の端末へ、該当する前記広告を配信することを特徴とする。
【００１０】
請求項６記載の広告料金決定プログラムは、各トイレの近傍に設置されたモニタに広告を表示する際の広告料金を決定する広告料金決定プログラムにおいて、前記各トイレの利用開始と終了を検知する検知ステップと、前記検知手段に基づいて、前記各トイレの利用者数と利用時間を算出する算出ステップと、前記利用者数と利用時間とによって、前記各トイレの利用状況を数値化する利用状況数値化ステップと、前記各トイレの設置環境を、該設置環境をランク付けしたテーブルに基づき数値化する設置環境数値化ステップと、前記数値化した利用状況および設置環境とに基づき、前記各トイレの広告価値を数値化する広告価値数値化ステップと、前記数値化した広告価値に基づいて、広告料金を決定する広告料金決定ステップとをコンピュータに実行させることを特徴とする。
【００１１】
【発明の実施の形態】
以下、図面を参照して本発明の実施の形態を説明する。
図１は、本発明の一実施形態に係る広告料金決定システムを適用したデータセンタ１とビル２の概略構成を示すブロック図である。データセンタ１内にある１１は管理サーバであり、制御部１１０（利用状況数値化手段、設置環境数値化手段、広告価値数値化手段、広告料金決定手段）、配信アプリケーション１１１、データベース１１２を有する。制御部１１０は、配信アプリケーション１１１を用いてトイレの広告料金を計算して広告料金を決定し、広告料金表を作成する。データベース１１２は、係数データと、広告料金ランクのデータと、配信アプリケーション１１１で作成した広告料金データと、広告を配信する個室と曜日の登録データを格納する。係数データは、表１に示すように、広告料金を決定する際に使用される、ビル２のトイレの男女区分、所在エリア等項目に応じた重み付けの係数である。
【００１２】
【表１】
2004152180.tif 000003
【００１３】
１２は配信サーバであり、広告主３からインターネットＮを介して送信される広告のＷｅｂページを管理している。また、災害など緊急時には強制的に情報をトイレへ配信する機能を有する。
１３はＷｅｂサーバであり、トイレ内に配信されるトイレ内広告配信サイトＡを管理している。このサイトＡは、トイレに配信する広告のＷｅｂページそれぞれにリンクしており、広告のＷｅｂページの検索機能を有する。
１４はインターネットＮを介してビル２のサーバや広告主３とデータのやり取りをする送受信部である。
【００１４】
ビル２のトイレ２０内には、個室２０１〜２０３が設置されている。個室２０１〜２０３は、それぞれ個室の壁面に設置されたセンサ２１１〜２１３（検知手段）、液晶による小型の表示パネル２３１〜２３３を有する。表示パネル２３１〜２３３は個室の壁面に、利用者の個室使用時に見やすい位置に設置される。
【００１５】
２２はビル２内にあって、トイレ２０を管理する管理施設である。管理施設２２内の中継サーバ２２１（算出手段）は、トイレ２０内の各種装置を制御する。また、各トイレの個室毎の利用者数や利用時間、送受信部１４から送信された広告データを保持する記憶部を有する。また、インターネットＮを介して、データセンタ１の送受信部１４とデータのやり取りを行う。２２２は管理施設２２内にある個室情報送受信部であり、センサ２１１〜２１３で検知した情報を無線ＬＡＮを介して受信し、中継サーバ２２１に伝送する。他に、無線ＬＡＮを介して、中継サーバ２２１で受信した広告データを表示パネル２３１〜２３３に送信する。
４はインターネットＮに接続可能な外部端末である。
【００１６】
次に、上記構成の動作について図２を参照して説明する。
データセンタ１の送受信部１４は、広告データをビル２の中継サーバ２２１に送信する（ステップＳａ１）。中継サーバ２２１は、その広告データを記憶部に保持する（ステップＳｂ１）。
トイレ２０の個室２０１に利用者が入ると、壁面のセンサ２１１が赤外線で検知する（ステップＳｂ３）。センサ２１１は個室情報送受信部２２２に、無線ＬＡＮで検知情報を送信する。個室情報送受信部２２２は中継サーバ２２１にその検知情報を送る。中継サーバ２２１はその検知情報により、個室２０１に利用者が入室したことを認識し、記憶部に保持していた広告データを、個室情報送受信部２２２を介して個室２０１の表示パネル２３１に表示する（ステップＳｂ５）。また、中継サーバ２２１は、あらかじめ記憶部に保持していた個室２０１の利用者数に１を加える（ステップＳｂ６）。また中継サーバ２２１は、センサ２１１が利用者を検知した時間ｔ１を入室時間として計測し、記憶部に保持する（ステップＳｂ７）。
【００１７】
利用者が個室２０１を退出すると、センサ２１１が退出を検知し、個室情報送受信部２２２に検知情報を送信する。個室情報送受信部２２２が中継サーバ２２１にその検知情報を送ると、中継サーバ２２１は、個室２０１から利用者が退出したことを認識し、表示パネル２３１での広告表示を停止する。また、中継サーバ２２１は、センサ２１１が検知した時間ｔ２を退出時間として計測し、記憶部に保持する（ステップＳｂ９）。中継サーバ２２１は、ステップＳｂ９で得た退出時間ｔ２からステップＳｂ７で得た入室時間ｔ１を減じ、利用者が個室２０１を利用した利用時間（ｔ２−ｔ１）を算出して記憶部に保持しておく（ステップＳｂ１１）。
同様にして中継サーバ２２１は、利用者が個室２０１〜２０３のいずれかを利用する毎に、個室毎の利用時間を算出し、個室毎の利用者数に「１」を加算して記憶部に保持する。
【００１８】
そして、ある一定時間、例えば１日経過すると、中継サーバ２２１は、インターネットＮを介してデータセンタ１の送受信部１４に、記憶部に保持していた個室２０１〜２０３それぞれの、利用者数の合計と利用者ひとり当たりの利用時間データすべてを送信する（ステップＳｂ１３）。
送受信部１４は、中継サーバ２２１から送信された個室２０１〜２０３それぞれの利用者数合計とひとり当たりの利用時間データを、Ｗｅｂサーバ１３を介して管理サーバ１１に伝送する。管理サーバ１１のデータベース１１２は、これらデータを記憶する（ステップＳａ５）。
そして制御部１１０は、データベース１１２に記憶した利用者数と利用時間のデータを元にして、配信アプリケーション１１１を用いてトイレの設置場所等の要素により個室２０１〜２０３毎に重み付けを行い（ステップＳａ７）、ランク付けをして個室２０１〜２０３の広告料金を決定する（ステップＳａ９）。
【００１９】
ここで、ステップＳａ７、Ｓａ９における制御部１１０の詳細な動作について以下に説明する。
まず、個室２０１〜２０３それぞれの利用時間により、一定時間における利用時間数の割合である利用時間率を計算し、係数を掛けて利用時間率ポイントを求める。これは、各個室に広告を配信する際、一定時間内の個室の利用時間数が多いほど、個室内に広告表示を行う回数が多くなり、宣伝効果が大きいと考えるからである。例えば、個室２０１において、１時間における各利用者の利用時間（ｔ２−ｔ１）の総計を計算し、その総計が３０分である場合、利用時間率は３０／６０＝０．５である。これにあらかじめ設定された利用時間率の係数１００を掛ける。よってこの場合、個室２０１の利用時間率ポイントは５０となる。
【００２０】
次に、個室２０１〜２０３それぞれの利用者数に係数を掛けた、利用者数ポイントを求める。これは、利用者数が多いほど宣伝効果が大きいと考えるからである。例えば、個室２０１での１日における利用者数が６０人である場合、あらかじめ設定された係数５を掛ける。よってこの場合、個室２０１の利用者数ポイントは３００となる。
【００２１】
次に、利用者ひとり当たりの利用時間（ｔ２−ｔ１）を参照し、その利用時間がある一定時間を超過した人の数を調べ、その人数に係数を掛けた、同一人物利用時間ポイントを求める。これは、ある一定時間を１サイクルとして、何本かの広告を表示するよう設定するので、１サイクルの時間以上同一人物が個室に居ると、同じ広告を繰り返し見ることになり、宣伝効果が落ちると考えるからである。
例えば、個室２０１では、１０秒の広告を５本、計５０秒間表示して１サイクルとする。１日で個室２０１に５０秒以上居た利用者数が６人である場合、利用者数「６」にあらかじめ設定された同一人物利用時間の係数「−２」を掛ける。よってこの場合、個室２０１の同一人物利用時間ポイントは−１２となる。
【００２２】
上記同一人物利用時間ポイントは、利用者ひとり当たりの利用時間（ｔ２−ｔ１）を参照し、その利用時間がある一定時間を超過した人の数を調べ、その人数を用いた逆数と係数を掛けて求めてもよい。例えば、個室２０１では、１０秒の広告を５本、計５０秒間表示して１サイクルとする。１日で個室２０１に５０秒以上居た利用者数が６人である場合、この利用者数「６」に１を加算し、その逆数１／（６＋１）と、あらかじめ設定された同一人物利用時間の係数「１０」を掛ける。上記利用者数に１を加算するのは、上記利用者数が０人の場合も想定されるためである。よってこの場合、個室２０１の同一人物利用時間ポイントは１．４３となる。
【００２３】
以上、利用時間率ポイント、利用者数ポイント、同一人物利用時間ポイント（この例では負の係数を掛けて求めたものを用いる）を足し合わせた個室２０１のポイント３３８に、表１に示すトイレの男女区分、ビル２の所在エリア、ビルの種別、フロア階数、曜日による設置環境の係数を掛けていく。個室２０１の設置環境が、男子トイレの大便部、都内エリアのオフィスビル５Ｆである場合、次式で表される。
３３８×１．２×１．３×１．５×１．２＝９４９．１０４・・・（１）
（１）式による計算の結果、約９４９となる。これに、広告を流したい曜日の係数を掛けてランク値を求める。月曜日に配信したい場合、次式で表される。
９４９×１．５＝１４２３．５・・・（２）
（２）式の計算結果を表２に示す。
【００２４】
【表２】
2004152180.tif 000004
【００２５】
（２）式の計算結果を、あらかじめ設定した料金ランク表（表３参照）に照合し、広告料金を決定する。ランク表は、ポイントに対応してランクＡ〜Ｆを定め、そのランク毎に広告料金を設定している。
よって、個室２０１の月曜日の料金ランクはＡ、広告料金は１００万円となる。
【００２６】
【表３】
2004152180.tif 000005
【００２７】
制御部１１０は、配信アプリケーション１１１を用いて上記のように個室毎、曜日により広告料金を計算し、広告料金表を作成する（ステップＳａ１１）。広告料金表の例を表４に示す。
【００２８】
【表４】
2004152180.tif 000006
【００２９】
配信サーバ１２は、配信アプリケーション１１１で作成した広告料金表を、送受信部１４からインターネットＮを介して広告主３に提示する。広告主３は、送受信部１４を介して配信サーバ１２に広告のＷｅｂページを送信し、提示された広告料金を参照しながら希望個室、希望曜日を配信サーバ１２に申し込む（ステップＳａ１３）。配信サーバ１２は、広告主３から申し込まれた希望個室、希望曜日の登録データをデータベース１１２に保持させる。
【００３０】
配信サーバ１２は、広告主３から送信された広告のＷｅｂページをＷｅｂサーバ１３に送る。ここでＷｅｂサーバ１３は、広告のＷｅｂページをトイレ内広告配信サイトＡとリンクさせ、トイレの表示パネルに即したテキストデータに変換する。その際、トイレ内広告配信サイトＡのアドレスのみ表示パネルの下部に固定して表示し、広告データが変動するような表示を行えるようデータ変換する（ステップＳａ１５）。
Ｗｅｂサーバ１３は、広告データを配信する個室、曜日をデータベース１１２から取得する。そして送受信部１４に広告データと、配信する個室、曜日の情報を伝送する。送受信部１４は、インターネットＮを介して中継サーバ２２１に広告を送信する。中継サーバ２２１は、個室情報送受信部２２２を介して、指定された曜日に、指定された個室の表示パネルへ広告を配信する（ステップＳａ１７）。
【００３１】
ところで、利用者がトイレで閲覧した広告をトイレから出た後に再度見たい場合、外部端末４からトイレ内広告配信サイトＡのアドレスを入力してアクセスする。Ｗｅｂサーバ１３は、管理しているトイレ内広告配信サイトＡのＷｅｂページを、外部端末４に送信する。
利用者はこのＷｅｂページにおいて、以前広告を閲覧したトイレの場所や時間、建物などの検索条件を外部端末４から入力して送信する。Ｗｅｂサーバ１３は、送信された検索条件に合った広告のＷｅｂページを配信サーバ１２から検索する。検索結果は広告のＷｅｂページのアドレスとして外部端末４に表示される。利用者は見たい広告のアドレスを選択し広告を再度閲覧する。
【００３２】
以上説明したように、本実施形態によれば、トイレの個室毎に利用者数と利用時間を算出し、その算出値から利用時間率ポイント、利用者数ポイント、同一人物利用時間ポイントを求めて個室毎の重み付けを行う。それにトイレの男女区分、ビルの所在エリア、ビルの種別、フロア階数、曜日による設置環境の係数を掛けてランク値を計算し、このランク値を広告料金ランク表に照合して広告料金を決定する。よって、トイレの設置場所や個室毎の利用状況に合った広告料金の作成を自動で行うことができる。
【００３３】
以上、本発明の実施形態について図面を参照して詳述してきたが、具体的な構成はこの実施形態に限られるものではなく、本発明の要旨を逸脱しない範囲の設計変更等も含まれる。
【００３４】
例えば、トイレ内広告配信サイトＡのアドレスは、トイレ内の表示パネルに表示するのではなく、シール等でトイレに貼付されてもよい。
【００３５】
【発明の効果】
以上の説明で明らかなように、本発明によれば、各トイレの利用者を検知し、前記検知により利用者数と利用時間を算出し、該利用者数と利用時間から利用状況を数値化する。また各トイレの設置環境を数値化する。数値化した各トイレの利用状況および設置環境とに基づき、各トイレの広告価値を数値化して広告料金を決定する。これにより、実際の利用状況に即して各トイレの広告価値が具体的に把握でき、正確かつ公平な広告料金を決定することができる。
また、データベースサーバのアクセス先を覚えていれば、所定の端末でアクセスすることができ、トイレで閲覧した広告を再度閲覧することができる。
【図面の簡単な説明】
【図１】本発明の一実施形態に係るデータセンタ１とビル２の概略構成を示すブロック図である。
【図２】同実施形態におけるデータセンタ１とビル２の動作を示すフローチャートである。
【符号の説明】
１…データセンタ、２…ビル、３…広告主、４…外部端末、１１…管理サーバ、１２…配信サーバ、１３…Ｗｅｂサーバ、１１０…制御部、１１１…配信アプリケーション、１１２…データベース、１４…送受信部、２０…トイレ、２０１〜２０３…個室、２１１〜２１３…センサ、２３１〜２３３…表示パネル、２２…管理施設、２２１…中継サーバ、２２２…個室情報送受信部
【図１】
2004152180.tif 000007
【図２】
2004152180.tif 000008